(57)【要約】【課題】商品サンプル室内の背面板に色彩、模様、広告等の所定の表示対象を容易且つ低コストに表示することのできる自動販売機の照明装置を提供する。【解決手段】装置本体１１の第１の発光部１２から商品サンプル室３の背面板３ｂに向かって光を照射するとともに、第１の発光部１２と背面板３ｂとの間に所定の表示対象（色彩）を有する透光部材１４を配置し、透光部材１４を透過した光によって透光部材１４の色を背面板１３ｂに映し出すようにしたので、例えば青系の背景色によって夏場等の利用者に冷涼感をアピールするなど、装飾効果を高めることができる。この場合、透光部材１４を透過した光によって背景色を映し出すようにしたので、例えば背面板３ｂを覆うように形成した大型の表示シートを用いて背景色を表示する必要がなく、背景色を容易且つ低コストに表示することができる。【選択図】図６
2009163629.tif 000002
【特許請求の範囲】
【請求項１】
自動販売機の商品サンプル室内に設けられ、商品サンプル室の背面板を照明する自動販売機の照明装置において、
前記商品サンプル室内に取付けられる装置本体と、
装置本体から商品サンプル室の背面板に向かって光を照射する発光部と、
発光部と背面板との間に配置され、発光部の光を透過することにより背面板に所定の色彩、模様、文字、図柄等の表示対象を映し出す透光部材とを備えた
ことを特徴とする自動販売機の照明装置。
【請求項２】
前記透光部材を装置本体に着脱自在に設けた
ことを特徴とする請求項１記載の自動販売機の照明装置。
【請求項３】
前記透光部材をシート状の部材によって形成した
ことを特徴とする請求項１または２記載の自動販売機の照明装置。
【請求項４】
前記装置本体から上方の商品サンプルに向かって光を照射する他の発光部を備えた
ことを特徴とする請求項１、２または３記載の自動販売機の照明装置。
【請求項５】
前記装置本体を透明に形成し、装置本体内に発光部を配置した
ことを特徴とする請求項１、２、３または４記載の自動販売機の照明装置。
【発明の詳細な説明】
【技術分野】
【０００１】
本発明は、例えば紙パック、缶、ビン、ペットボトル入りの商品を販売する自動販売機の照明装置に関するものである。
【背景技術】
【０００２】
従来、この種の自動販売機としては、前面を開口した自動販売機本体と、自動販売機本体の前面を開閉する外扉と、外扉の前面に設けられた商品サンプル室とを備え、商品サンプル室内の背面板に着脱自在に設けた表示シートに色彩や模様、或いは商品の広告等を表示するようにしたものが知られている（例えば、特許文献１参照。）。
【特許文献１】特開２００５−２３５０９６号公報
【発明の開示】
【発明が解決しようとする課題】
【０００３】
ところで、前記自動販売機では、利用者に販売商品の冷涼感、温暖感等をアピールするために、表示シートに青系、赤系等の色彩を施したり、或いは模様や図柄等を表示しているが、表示シートは背面板を覆うように大型に形成されているため、表示シートのコストが高くつくとともに、交換時や保管時の取り扱いにも劣るという問題点があった。
【０００４】
本発明は前記問題点に鑑みてなされたものであり、その目的とするところは、商品サンプル室内の背面板に色彩、模様、広告等の所定の表示対象を容易且つ低コストに表示することのできる自動販売機の照明装置を提供することにある。
【課題を解決するための手段】
【０００５】
本発明は前記目的を達成するために、自動販売機の商品サンプル室内に設けられ、商品サンプル室の背面板を照明する自動販売機の照明装置において、前記商品サンプル室内に取付けられる装置本体と、装置本体から商品サンプル室の背面板に向かって光を照射する発光部と、発光部と背面板との間に配置され、発光部の光を透過することにより背面板に所定の色彩、模様、文字、図柄等の表示対象を映し出す透光部材とを備えている。
【０００６】
これにより、発光部から商品サンプル室の背面板に向かって光が照射されるとともに、透光部材を透過した光によって透光部材の表示対象が背面板に映し出されることから、例えば背面板を覆うように形成した大型の表示シートを用いて背面板に表示対象を表示する必要がない。
【発明の効果】
【０００７】
本発明によれば、透光部材を透過した光によって透光部材の表示対象が背面板に映し出されることから、例えば背面板を覆うように形成した大型の表示シートを用いて背面板に表示対象を表示する必要がなく、背面板に色彩、模様、広告等の所定の表示対象を容易且つ低コストに表示することができる。
【発明を実施するための最良の形態】
【０００８】
図１乃至図６は本発明の一実施形態を示すもので、図１は本発明の照明装置が備わる自動販売機の全体斜視図、図２はその要部分解斜視図、図３は照明装置の斜視図、図４はその正面図、図５はその側面断面図、図６はその使用状態を示す自動販売機の要部側面断面図である。
【０００９】
同図に示す自動販売機は、前面を開口した自動販売機本体１と、自動販売機本体１の前面を開閉する外扉２と、外扉２の前面に設けられた商品サンプル室３とを備え、商品サンプル室３内には多数の商品サンプル４が設けられている。
【００１０】
自動販売機本体１は内部に断熱性の商品収納庫（図示せず）を備え、商品収納庫内にはサーペンタイン式等の商品コラム（図示せず）が設けられている。
【００１１】
外扉２は幅方向一端を自動販売機本体１に回動自在に支持され、その前面には、複数の商品選択スイッチ２ａ、硬貨投入口２ｂ、紙幣投入口２ｃ、金額表示部２ｄ、硬貨返却口２ｅ及び商品取出口２ｆが設けられている。
【００１２】
商品サンプル室３は、商品サンプル室３の前面を覆う透明板３ａと、商品サンプル室３の背面を覆う背面板３ｂと、背面板３ｂに取付けられた上下複数段のサンプル台３ｃとを有し、サンプル台３ｃには複数の商品サンプル４が載置されている。サンプル台３ｃは下面を開口するように断面略コ字状に屈曲した部材からなり、その上面には商品サンプル４を取付けるための取付孔３ｄが設けられている。
【００１３】
商品サンプル４は下面を開口した中空状の光透過性部材からなり、その表面には実物の商品と同様のデザインが施されている。商品サンプル４の下端にはサンプル台３ｃの取付孔３ｄに係合する係合部４ａが設けられ、取付孔３ｄに係合部４ａを係合することにより商品サンプル４がサンプル台３ｃに取付けられる。
【００１４】
また、商品サンプル室３内には照明装置１０が設けられ、照明装置１０によって商品サンプル室３の背面板３ｂ及び商品サンプル４が照明されるようになっている。
【００１５】
この照明装置１０は、サンプル台３ｃの下方に配置される装置本体１１と、装置本体１１から背面板３ｂに向かって光を照射する第１の発光部１２と、装置本体１１から上方の商品サンプル４に向かって光を照射する第２の発光部１３と、第１の発光部１２の光を透過する透光部材１４とを備えている。
【００１６】
装置本体１１は横長に形成された中空状の透明部材からなり、サンプル台３ｃの内側に配置可能な大きさに形成されている。装置本体１１の上面後端側は上面前端側よりも高くなるように形成されており、上面前端側と上面後端側との間は前方に向かって斜め上方を臨む傾斜部１１ａからなる。装置本体１１の下面前端側には外側に向かって凸状をなす曲面部１１ｂが設けられ、曲面部１１ｂは後方に向かって斜め下方を臨むように形成されている。また、装置本体１１の下面には透光部材１４を保持する保持部１１ｃが設けられ、保持部１１ｃは曲面部１１ｂの後方に位置し、透光部材１４の上端部を細溝で挟持するようになっている。
【００１７】
第１の発光部１２は基板１２ａに実装された複数のＬＥＤからなり、互いに装置本体１１の幅方向（長手方向）に間隔をおいて配置されている。基板１２ａは第１の発光部１２が下面側に位置するように装置本体１１内の前端下部に配置され、第１の発光部１２の光が装置本体１１の曲面部１１ｂを透過し、後方に向かって斜め下方に照射されるようになっている。
【００１８】
第２の発光部１３は基板１３ａに実装された複数のＬＥＤからなり、互いに装置本体１１の幅方向（長手方向）に間隔をおいて配置されている。基板１３ａは第２の発光部１３が上面側に位置するように装置本体１１内の後端上部に配置され、第２の発光部１３の光が装置本体１１の傾斜部１１ａを透過し、前方に向かって斜め上方に照射されるようになっている。
【００１９】
透光部材１４は、例えば所定の色彩を有する半透明のシート状部材からなり、保持部１１ｃの細溝に圧入することにより、装置本体１１に着脱自在に取付けられている。保持部１１ｃによって保持された透光部材１４は第１の発光部１２の後方に位置し、第１の発光部１２の光を透過して所定の色を後方に映し出すようになっている。
【００２０】
以上のように構成された照明装置１０は、図示しない取付部材を介して商品サンプル室３の背面板３ｂに取付けられ、複数の照明装置１０が幅方向に並べられて上下複数段になるようにサンプル台３ｃの内側に配置される。
【００２１】
次に、前記照明装置１０を点灯すると、第１及び第２の発光部１２，１３の光が装置本体１１から外部に照射される。これにより、図６に示すように第１の発光部１２の光によって下方の商品サンプル４の上部及び背面板１３ｂが照明されるとともに、透光部材１４を透過した光によって透光部材１４の色が背面板１３ｂに映し出される。また、第２の発光部１２の光はサンプル台３ｃの取付孔３ｄを介して商品サンプル４の内面に照射され、商品サンプル４自体が光るように照明される。
【００２２】
このように、本実施形態によれば、装置本体１１の第１の発光部１２から商品サンプル室３の背面板３ｂに向かって光を照射するとともに、第１の発光部１２と背面板３ｂとの間に所定の表示対象（色彩）を有する透光部材１４を配置し、透光部材１４を透過した光によって透光部材１４の色を背面板１３ｂに映し出すようにしたので、例えば青系の背景色によって夏場等の利用者に冷涼感をアピールするなど、装飾効果を高めることができる。この場合、透光部材１４を透過した光によって背景色を映し出すようにしたので、例えば背面板３ｂを覆うように形成した大型の表示シートを用いて背景色を表示する必要がなく、背景色を容易且つ低コストに表示することができる。
【００２３】
また、透光部材１４を装置本体１１に着脱自在に設けたので、透光部材１４を他の色の透光部材に容易に交換することができ、背面板１３ｂの背景色を変更する場合に極めて有利である。
【００２４】
更に、透光部材１４をシート状の部材によって形成したので、例えば透明シートに所定の色を着色するなど、透光部材１４を容易且つ低コストに製造することができ、実用化に際して極めて有利である。
【００２５】
また、装置本体１１から上方の商品サンプル４に向かって光を照射する第２の発光部１３を備えているので、第１の発光部１２による背面板３ｂの照明のみならず、商品サンプル４の照明も行うことができ、商品サンプル室３内に蛍光灯等の他の照明器具を設ける必要がないという利点がある。
【００２６】
更に、透明に形成した装置本体１１内に各発光部１２，１３を配置し、各発光部１２，１３の光が装置本体１１を透過して外部に照射されるようにしたので、各発光部１２，１３が装置本体１１の外面に露出することがなく、外部との接触による各発光部１２，１３の損傷を確実に防止することができる。
【００２７】
尚、前記実施形態では、透光部材１４に所定の色彩を施したものを示したが、模様、文字、図柄等、他の表示対象を表示するようにすれば、装飾効果や宣伝効果を高めることもできる。また、前記実施形態では、装置本体１１の下面にシート状の透光部材１４を取付けるようにしたものを示したが、例えば装置本体１１の表面に色付きの部材を装着するなど、透光部材に他の形状や取付構造を用いることも可能である。更に、前記実施形態では、透光部材１４を保持部１１ｃの細溝に圧入することにより装置本体１１に着脱自在に取付けるようにしたものを示したが、例えば透光部材の上端を装置本体１１に引掛けるなど、他の取付構造を用いることも可能である。また、前記実施形態では、各発光部１２，１３にＬＥＤを用いたものを示したが、発光部に蛍光灯等の他の光源を用いるようにしてもよい。
【図面の簡単な説明】
【００２８】
【図１】本発明の一実施形態に係る照明装置を備えた自動販売機の全体斜視図
【図２】自動販売機の要部分解斜視図
【図３】照明装置の斜視図
【図４】照明装置の正面図
【図５】照明装置の側面断面図
【図６】照明装置の使用状態を示す自動販売機の要部側面断面図
【符号の説明】
【００２９】
３…商品サンプル室、３ｂ…背面板、１０…照明装置、１１…装置本体、１２…第１の発光部、１３…第２の発光部、１４…透光部材。
【図１】
2009163629.tif 000003
【図２】
2009163629.tif 000004
【図３】
2009163629.tif 000005
【図４】
2009163629.tif 000006
【図５】
2009163629.tif 000007
【図６】
2009163629.tif 000008